(57)【要約】【課題】撮影位置により近い場所の地名を、撮影画像とともに記録することができない場合があった。【解決手段】撮像を行う撮像手段９と、ＰＨＳ基地局ＩＤを有する複数のＰＨＳ基地局からそれぞれ送信されてくる、ＰＨＳ基地局ＩＤを伝送する複数の電波を受信する送受信手段１５と、受信された複数の電波の強度に応じて、ＰＨＳ基地局ＩＤの順位を決定し、ＰＨＳ基地局ＩＤの順位の決定結果に基づき、行われた撮像結果に対して付帯データを付与するシステム制御用ＣＰＵ１３とを備えたデジタルカメラ１である。【選択図】  図１
2005026864.tif 000002
【特許請求の範囲】
【請求項１】
撮像を行う撮像手段と、
ＩＤを有する複数の電波送信手段からそれぞれ送信されてくる、前記ＩＤを伝送する複数の電波を受信する電波受信手段と、
前記受信された複数の電波の強度に応じて、前記ＩＤの順位を決定するＩＤ順位決定手段と、
前記ＩＤの順位の決定結果に基づき、前記行われた撮像結果に対して付帯データを付与する付帯データ付与手段とを備えた撮像システム。
【請求項２】
前記ＩＤと単数または複数の地名とのＩＤ地名対応テーブルを保持するＩＤ地名対応テーブル保持手段と、
前記保持されているＩＤ地名対応テーブルに基づいて、前記順位が決定されたＩＤに対応する地名に関する地名情報を表示する地名情報表示手段とをさらに備えた請求項１記載の撮像システム。
【請求項３】
前記地名情報は、前記順位が決定されたＩＤと前記ＩＤに対応する前記地名とのＩＤ地名ペアの、前記ＩＤの順位に応じた配列を利用して表示される請求項２記載の撮像システム。
【請求項４】
前記地名情報は、前記地名が同一の前記ＩＤ地名ペアの内、前記ＩＤの順位が最高であるＩＤ地名ペア以外のＩＤ地名ペアの削除を利用して表示される請求項３記載の撮像システム。
【請求項５】
前記地名情報表示手段は、複数の地名に関して、前記地名情報を表示する請求項２記載の撮像システム。
【請求項６】
前記地名情報が表示された前記複数の地名の内、所定の地名を選択する地名選択手段をさらに備え、
前記付帯データ付与手段は、前記選択された所定の地名に関して、前記付帯データを付与する請求項５記載の撮像システム。
【請求項７】
前記地名選択手段は、外部からの音声に基づく音声入力および音声認識を利用して、前記所定の地名を選択する請求項６記載の撮像システム。
【請求項８】
撮像を行う撮像ステップと、
ＩＤを有する複数の電波送信手段からそれぞれ送信されてくる、前記ＩＤを伝送する複数の電波を受信する電波受信ステップと、
前記受信された複数の電波の強度に応じて、前記ＩＤの順位を決定するＩＤ順位決定ステップと、
前記ＩＤの順位の決定結果に基づき、前記行われた撮像結果に対して付帯データを付与する付帯データ付与ステップとを備えた撮像方法。
【請求項９】
請求項８記載の撮像方法の、撮像を行う撮像ステップと、ＩＤを有する複数の電波送信手段からそれぞれ送信されてくる、前記ＩＤを伝送する複数の電波を受信する電波受信ステップと、前記受信された複数の電波の強度に応じて、前記ＩＤの順位を決定するＩＤ順位決定ステップと、前記ＩＤの順位の決定結果に基づき、前記行われた撮像結果に対して付帯データを付与する付帯データ付与ステップとをコンピュータに実行させるためのプログラム。
【請求項１０】
請求項９記載のプログラムを担持した記録媒体であって、コンピュータにより処理可能な記録媒体。
【請求項１１】
撮像を行う撮像手段と、ＩＤを有する複数の電波送信手段からそれぞれ送信されてくる、前記ＩＤを伝送する複数の電波を受信する電波受信手段と、前記受信された複数の電波の強度に応じて、前記ＩＤの順位を決定するＩＤ順位決定手段とを有する撮像装置と、
前記ＩＤの順位の決定結果に基づき、前記行われた撮像結果に対して付帯データを付与する付帯データ付与手段と、前記ＩＤと単数または複数の地名とのＩＤ地名対応テーブルを保持するＩＤ地名対応テーブル保持手段と、前記保持されているＩＤ地名対応テーブルに基づいて、前記順位が決定されたＩＤに対応する地名に関する地名情報を表示する地名情報表示手段とを有する付帯データ付与装置とを備えた撮像システム。
【請求項１２】
撮像を行う撮像手段と、
ＩＤを有する複数の電波送信手段からそれぞれ送信されてくる、前記ＩＤを伝送する複数の電波を受信する電波受信手段と、
前記受信された複数の電波の強度に応じて、前記ＩＤの順位を決定するＩＤ順位決定手段とを備え、
前記ＩＤの順位の決定結果に基づき、前記行われた撮像結果に対して付帯データが付与され、
前記ＩＤと単数または複数の地名とのＩＤ地名対応テーブルが保持されており、
前記保持されているＩＤ地名対応テーブルに基づいて、前記順位が決定されたＩＤに対応する地名に関する地名情報が表示される撮像装置。
【請求項１３】
ＩＤと単数または複数の地名とのＩＤ地名対応テーブルを保持するＩＤ地名対応テーブル保持手段と、
前記保持されているＩＤ地名対応テーブルに基づいて、前記ＩＤを有する複数の電波送信手段からそれぞれ送信されてきて受信された、前記ＩＤを伝送する複数の電波の強度に応じて順位が決定されたＩＤに対応する地名に関する地名情報を表示する地名情報表示手段と、
前記ＩＤの順位の決定結果に基づき、行われた撮像結果に対して付帯データを付与する付帯データ付与手段とを備えた付帯データ付与装置。
【請求項１４】
撮像を行い、
ＩＤを有する複数の電波送信手段からそれぞれ送信されてくる、前記ＩＤを伝送する複数の電波を受信し、
前記受信された複数の電波の強度に応じて、前記ＩＤの順位を決定する撮像ステップと、
前記ＩＤの順位の決定結果に基づき、前記行われた撮像結果に対して付帯データを付与し、
前記ＩＤと単数または複数の地名とのＩＤ地名対応テーブルを保持しておき、
前記保持されているＩＤ地名対応テーブルに基づいて、前記順位が決定されたＩＤに対応する地名に関する地名情報を表示する付帯データ付与ステップとを備えた撮像方法。
【請求項１５】
請求項１４記載の撮像方法の、撮像を行い、ＩＤを有する複数の電波送信手段からそれぞれ送信されてくる、前記ＩＤを伝送する複数の電波を受信し、前記受信された複数の電波の強度に応じて、前記ＩＤの順位を決定する撮像ステップと、前記ＩＤの順位の決定結果に基づき、前記行われた撮像結果に対して付帯データを付与し、前記ＩＤと単数または複数の地名とのＩＤ地名対応テーブルを保持しておき、前記保持されているＩＤ地名対応テーブルに基づいて、前記順位が決定されたＩＤに対応する地名に関する地名情報を表示する付帯データ付与ステップとをコンピュータに実行させるためのプログラム。
【請求項１６】
請求項１５記載のプログラムを担持した記録媒体であって、コンピュータにより処理可能な記録媒体。
【請求項１７】
撮像を行う撮像手段と、ＩＤを有する複数の電波送信手段からそれぞれ送信されてくる、前記ＩＤを伝送する複数の電波を受信する電波受信手段と、前記受信された複数の電波の強度に応じて、前記ＩＤの順位を決定するＩＤ順位決定手段と、前記ＩＤの順位の決定結果に基づき、前記行われた撮像結果に対して付帯データを付与する付帯データ付与手段と、前記ＩＤと単数または複数の地名とのＩＤ地名対応テーブルに基づいて、前記順位が決定されたＩＤに対応する地名に関する地名情報を表示する地名情報表示手段とを有する撮像装置と、
前記ＩＤ地名対応テーブルを保持するＩＤ地名対応テーブル保持手段を有するＩＤ地名対応テーブル保持装置とを備えた撮像システム。
【請求項１８】
撮像を行う撮像手段と、
ＩＤを有する複数の電波送信手段からそれぞれ送信されてくる、前記ＩＤを伝送する複数の電波を受信する電波受信手段と、
前記受信された複数の電波の強度に応じて、前記ＩＤの順位を決定するＩＤ順位決定手段と、
前記ＩＤの順位の決定結果に基づき、前記行われた撮像結果に対して付帯データを付与する付帯データ付与手段と、
ＩＤ地名対応テーブル保持手段によって保持されている、前記ＩＤと単数または複数の地名とのＩＤ地名対応テーブルに基づいて、前記順位が決定されたＩＤに対応する地名に関する地名情報を表示する地名情報表示手段とを備えた撮像装置。
【請求項１９】
ＩＤと単数または複数の地名とのＩＤ地名対応テーブルを保持するＩＤ地名対応テーブル保持手段を備え、
前記ＩＤを有する複数の電波送信手段からそれぞれ送信されてくる、前記ＩＤを伝送する複数の電波が受信され、
前記受信された複数の電波の強度に応じて、前記ＩＤの順位が決定され、
前記ＩＤの順位の決定結果に基づき、行われた撮像結果に対して付帯データが付与され、
前記保持されているＩＤ地名対応テーブルに基づいて、前記順位が決定されたＩＤに対応する地名に関する地名情報が表示されるＩＤ地名対応テーブル保持装置。
【請求項２０】
撮像を行い、
ＩＤを有する複数の電波送信手段からそれぞれ送信されてくる、前記ＩＤを伝送する複数の電波を受信し、
前記受信された複数の電波の強度に応じて、前記ＩＤの順位を決定し、
前記ＩＤの順位の決定結果に基づき、前記行われた撮像結果に対して付帯データを付与し、
前記ＩＤと単数または複数の地名とのＩＤ地名対応テーブルに基づいて、前記順位が決定されたＩＤに対応する地名に関する地名情報を表示する撮像ステップと、
前記ＩＤ地名対応テーブルを保持しておくＩＤ地名対応テーブル保持ステップとを備えた撮像方法。
【請求項２１】
請求項２０記載の撮像方法の、撮像を行い、ＩＤを有する複数の電波送信手段からそれぞれ送信されてくる、前記ＩＤを伝送する複数の電波を受信し、前記受信された複数の電波の強度に応じて、前記ＩＤの順位を決定し、前記ＩＤの順位の決定結果に基づき、前記行われた撮像結果に対して付帯データを付与し、前記ＩＤと単数または複数の地名とのＩＤ地名対応テーブルに基づいて、前記順位が決定されたＩＤに対応する地名に関する地名情報を表示する撮像ステップと、前記ＩＤ地名対応テーブルを保持しておくＩＤ地名対応テーブル保持ステップとをコンピュータに実行させるためのプログラム。
【請求項２２】
請求項２１記載のプログラムを担持した記録媒体であって、コンピュータにより処理可能な記録媒体。
【請求項２３】
撮像を行う撮像手段と、
ＩＤを有する複数の電波送信手段からそれぞれ送信されてくる、前記ＩＤを伝送する複数の電波を受信する電波受信手段と、
前記ＩＤと単数または複数の地名とのＩＤ地名対応テーブルを保持するＩＤ地名対応テーブル保持手段と、
前記保持されているＩＤ地名対応テーブルに基づいて、前記受信された電波が伝送するＩＤに対応する地名に関する地名情報を表示する地名情報表示手段とを備えた撮像システム。
【請求項２４】
前記地名情報表示手段は、複数の地名に関して、前記地名情報を表示する請求項２３記載の撮像システム。
【請求項２５】
前記地名情報が表示された前記複数の地名の内、所定の地名を選択する地名選択手段と、
前記行われた撮像結果に対し、前記選択された所定の地名に関する付帯データを付与する付帯データ付与手段とをさらに備えた請求項２４記載の撮像システム。
【請求項２６】
前記受信された複数の電波の強度に応じて、前記ＩＤの順位を決定するＩＤ順位決定手段をさらに備え、
前記地名情報表示手段は、前記順位が決定されたＩＤに対応する地名に関して、前記地名情報を表示する請求項２３記載の撮像システム。
【請求項２７】
撮像を行う撮像ステップと、ＩＤを有する複数の電波送信手段からそれぞれ送信されてくる、前記ＩＤを伝送する複数の電波を受信する電波受信ステップと、前記ＩＤと単数または複数の地名とのＩＤ地名対応テーブルを保持するＩＤ地名対応テーブル保持ステップと、前記保持されているＩＤ地名対応テーブルに基づいて、前記受信された電波が伝送するＩＤに対応する地名に関する地名情報を表示する地名情報表示ステップとを備えた撮像方法。
【請求項２８】
請求項２７記載の撮像方法の、撮像を行う撮像ステップと、ＩＤを有する複数の電波送信手段からそれぞれ送信されてくる、前記ＩＤを伝送する複数の電波を受信する電波受信ステップと、前記ＩＤと単数または複数の地名とのＩＤ地名対応テーブルを保持するＩＤ地名対応テーブル保持ステップと、前記保持されているＩＤ地名対応テーブルに基づいて、前記受信された電波が伝送するＩＤに対応する地名に関する地名情報を表示する地名情報表示ステップとをコンピュータに実行させるためのプログラム。
【請求項２９】
請求項２８記載のプログラムを担持した記録媒体であって、コンピュータにより処理可能な記録媒体。
【発明の詳細な説明】
【０００１】
【発明が属する技術分野】
本発明は、撮影位置を示す地名を取得し、撮影画像とともに当該地名を記録する撮像システム、撮像装置、付帯データ付与装置、ＩＤ地名対応テーブル保持装置、撮像方法、プログラム、および記録媒体に関する。
【０００２】
【従来の技術】
ＧＰＳ（Ｇｌｏｂａｌ  Ｐｏｓｉｔｉｏｎｉｎｇ  Ｓｙｓｔｅｍｓ）を利用して取得した現在位置に関する位置情報に基づいて得られた複数の地名の内から、撮影画像とともに記録する地名をユーザの指示に基づいて選択するための選択手段を有する従来のデジタルカメラがある。
【０００３】
より具体的には、地図をメッシュ毎に区切り、現在位置が属するメッシュ内に登録されている地名を表示することができる従来のデジタルカメラがある（たとえば、特許文献１参照）。
【０００４】
【特許文献１】
特開２００１−１５７０９８号公報
【０００５】
【発明が解決しようとする課題】
しかしながら、上述の従来のデジタルカメラは、現在位置が属するメッシュの隣のメッシュ内の地名を表示することができない。
【０００６】
一方、現在位置がメッシュ間の境界付近にある場合などには、隣のメッシュ内の地名の中に、撮影画像とともに記録するべき地名としてより適切な現在位置により近い場所の地名が含まれていることがある。
【０００７】
このため、撮影位置により近い場所の地名がデジタルカメラにデータテーブル（あるいはデータベース）として蓄積されている場合であっても、これを任意に選択して撮影画像とともに記録することができない場合があることに、本発明者は気付いた。
【０００８】
本発明は、上記従来のこのような課題を考慮し、撮影位置により近い場所の地名を、撮影画像とともに記録するまたは表示することができる撮像システム、撮像装置、付帯データ付与装置、ＩＤ地名対応テーブル保持装置、撮像方法、プログラム、および記録媒体を提供することを目的とする。
【０００９】
【課題を解決するための手段】
第１の本発明は、撮像を行う撮像手段と、
ＩＤを有する複数の電波送信手段からそれぞれ送信されてくる、前記ＩＤを伝送する複数の電波を受信する電波受信手段と、
前記受信された複数の電波の強度に応じて、前記ＩＤの順位を決定するＩＤ順位決定手段と、
前記ＩＤの順位の決定結果に基づき、前記行われた撮像結果に対して付帯データを付与する付帯データ付与手段とを備えた撮像システムである。
【００１０】
第２の本発明は、前記ＩＤと単数または複数の地名とのＩＤ地名対応テーブルを保持するＩＤ地名対応テーブル保持手段と、
前記保持されているＩＤ地名対応テーブルに基づいて、前記順位が決定されたＩＤに対応する地名に関する地名情報を表示する地名情報表示手段とをさらに備えた請求項１記載の撮像システムである。
【００１１】
第３の本発明は、前記地名情報は、前記順位が決定されたＩＤと前記ＩＤに対応する前記地名とのＩＤ地名ペアの、前記ＩＤの順位に応じた配列を利用して表示される請求項２記載の撮像システムである。
【００１２】
第４の本発明は、前記地名情報は、前記地名が同一の前記ＩＤ地名ペアの内、前記ＩＤの順位が最高であるＩＤ地名ペア以外のＩＤ地名ペアの削除を利用して表示される請求項３記載の撮像システムである。
【００１３】
第５の本発明は、前記地名情報表示手段は、複数の地名に関して、前記地名情報を表示する請求項２記載の撮像システムである。
【００１４】
第６の本発明は、前記地名情報が表示された前記複数の地名の内、所定の地名を選択する地名選択手段をさらに備え、
前記付帯データ付与手段は、前記選択された所定の地名に関して、前記付帯データを付与する請求項５記載の撮像システムである。
【００１５】
第７の本発明は、前記地名選択手段は、外部からの音声に基づく音声入力および音声認識を利用して、前記所定の地名を選択する請求項６記載の撮像システムである。
【００１６】
第８の本発明は、撮像を行う撮像ステップと、
ＩＤを有する複数の電波送信手段からそれぞれ送信されてくる、前記ＩＤを伝送する複数の電波を受信する電波受信ステップと、
前記受信された複数の電波の強度に応じて、前記ＩＤの順位を決定するＩＤ順位決定ステップと、
前記ＩＤの順位の決定結果に基づき、前記行われた撮像結果に対して付帯データを付与する付帯データ付与ステップとを備えた撮像方法である。
【００１７】
第９の本発明は、請求項８記載の撮像方法の、撮像を行う撮像ステップと、ＩＤを有する複数の電波送信手段からそれぞれ送信されてくる、前記ＩＤを伝送する複数の電波を受信する電波受信ステップと、前記受信された複数の電波の強度に応じて、前記ＩＤの順位を決定するＩＤ順位決定ステップと、前記ＩＤの順位の決定結果に基づき、前記行われた撮像結果に対して付帯データを付与する付帯データ付与ステップとをコンピュータに実行させるためのプログラムである。
【００１８】
第１０の本発明は、請求項９記載のプログラムを担持した記録媒体であって、コンピュータにより処理可能な記録媒体である。
【００１９】
第１１の本発明は、撮像を行う撮像手段と、ＩＤを有する複数の電波送信手段からそれぞれ送信されてくる、前記ＩＤを伝送する複数の電波を受信する電波受信手段と、前記受信された複数の電波の強度に応じて、前記ＩＤの順位を決定するＩＤ順位決定手段とを有する撮像装置と、
前記ＩＤの順位の決定結果に基づき、前記行われた撮像結果に対して付帯データを付与する付帯データ付与手段と、前記ＩＤと単数または複数の地名とのＩＤ地名対応テーブルを保持するＩＤ地名対応テーブル保持手段と、前記保持されているＩＤ地名対応テーブルに基づいて、前記順位が決定されたＩＤに対応する地名に関する地名情報を表示する地名情報表示手段とを有する付帯データ付与装置とを備えた撮像システムである。
【００２０】
第１２の本発明は、撮像を行う撮像手段と、
ＩＤを有する複数の電波送信手段からそれぞれ送信されてくる、前記ＩＤを伝送する複数の電波を受信する電波受信手段と、
前記受信された複数の電波の強度に応じて、前記ＩＤの順位を決定するＩＤ順位決定手段とを備え、
前記ＩＤの順位の決定結果に基づき、前記行われた撮像結果に対して付帯データが付与され、
前記ＩＤと単数または複数の地名とのＩＤ地名対応テーブルが保持されており、
前記保持されているＩＤ地名対応テーブルに基づいて、前記順位が決定されたＩＤに対応する地名に関する地名情報が表示される撮像装置である。
【００２１】
第１３の本発明は、ＩＤと単数または複数の地名とのＩＤ地名対応テーブルを保持するＩＤ地名対応テーブル保持手段と、
前記保持されているＩＤ地名対応テーブルに基づいて、前記ＩＤを有する複数の電波送信手段からそれぞれ送信されてきて受信された、前記ＩＤを伝送する複数の電波の強度に応じて順位が決定されたＩＤに対応する地名に関する地名情報を表示する地名情報表示手段と、
前記ＩＤの順位の決定結果に基づき、行われた撮像結果に対して付帯データを付与する付帯データ付与手段とを備えた付帯データ付与装置である。
【００２２】
第１４の本発明は、撮像を行い、
ＩＤを有する複数の電波送信手段からそれぞれ送信されてくる、前記ＩＤを伝送する複数の電波を受信し、
前記受信された複数の電波の強度に応じて、前記ＩＤの順位を決定する撮像ステップと、
前記ＩＤの順位の決定結果に基づき、前記行われた撮像結果に対して付帯データを付与し、
前記ＩＤと単数または複数の地名とのＩＤ地名対応テーブルを保持しておき、
前記保持されているＩＤ地名対応テーブルに基づいて、前記順位が決定されたＩＤに対応する地名に関する地名情報を表示する付帯データ付与ステップとを備えた撮像方法である。
【００２３】
第１５の本発明は、請求項１４記載の撮像方法の、撮像を行い、ＩＤを有する複数の電波送信手段からそれぞれ送信されてくる、前記ＩＤを伝送する複数の電波を受信し、前記受信された複数の電波の強度に応じて、前記ＩＤの順位を決定する撮像ステップと、前記ＩＤの順位の決定結果に基づき、前記行われた撮像結果に対して付帯データを付与し、前記ＩＤと単数または複数の地名とのＩＤ地名対応テーブルを保持しておき、前記保持されているＩＤ地名対応テーブルに基づいて、前記順位が決定されたＩＤに対応する地名に関する地名情報を表示する付帯データ付与ステップとをコンピュータに実行させるためのプログラムである。
【００２４】
第１６の本発明は、請求項１５記載のプログラムを担持した記録媒体であって、コンピュータにより処理可能な記録媒体である。
【００２５】
第１７の本発明は、撮像を行う撮像手段と、ＩＤを有する複数の電波送信手段からそれぞれ送信されてくる、前記ＩＤを伝送する複数の電波を受信する電波受信手段と、前記受信された複数の電波の強度に応じて、前記ＩＤの順位を決定するＩＤ順位決定手段と、前記ＩＤの順位の決定結果に基づき、前記行われた撮像結果に対して付帯データを付与する付帯データ付与手段と、前記ＩＤと単数または複数の地名とのＩＤ地名対応テーブルに基づいて、前記順位が決定されたＩＤに対応する地名に関する地名情報を表示する地名情報表示手段とを有する撮像装置と、
前記ＩＤ地名対応テーブルを保持するＩＤ地名対応テーブル保持手段を有するＩＤ地名対応テーブル保持装置とを備えた撮像システムである。
【００２６】
第１８の本発明は、撮像を行う撮像手段と、
ＩＤを有する複数の電波送信手段からそれぞれ送信されてくる、前記ＩＤを伝送する複数の電波を受信する電波受信手段と、
前記受信された複数の電波の強度に応じて、前記ＩＤの順位を決定するＩＤ順位決定手段と、
前記ＩＤの順位の決定結果に基づき、前記行われた撮像結果に対して付帯データを付与する付帯データ付与手段と、
ＩＤ地名対応テーブル保持手段によって保持されている、前記ＩＤと単数または複数の地名とのＩＤ地名対応テーブルに基づいて、前記順位が決定されたＩＤに対応する地名に関する地名情報を表示する地名情報表示手段とを備えた撮像装置である。
【００２７】
第１９の本発明は、ＩＤと単数または複数の地名とのＩＤ地名対応テーブルを保持するＩＤ地名対応テーブル保持手段を備え、
前記ＩＤを有する複数の電波送信手段からそれぞれ送信されてくる、前記ＩＤを伝送する複数の電波が受信され、
前記受信された複数の電波の強度に応じて、前記ＩＤの順位が決定され、
前記ＩＤの順位の決定結果に基づき、行われた撮像結果に対して付帯データが付与され、
前記保持されているＩＤ地名対応テーブルに基づいて、前記順位が決定されたＩＤに対応する地名に関する地名情報が表示されるＩＤ地名対応テーブル保持装置である。
【００２８】
第２０の本発明は、撮像を行い、
ＩＤを有する複数の電波送信手段からそれぞれ送信されてくる、前記ＩＤを伝送する複数の電波を受信し、
前記受信された複数の電波の強度に応じて、前記ＩＤの順位を決定し、
前記ＩＤの順位の決定結果に基づき、前記行われた撮像結果に対して付帯データを付与し、
前記ＩＤと単数または複数の地名とのＩＤ地名対応テーブルに基づいて、前記順位が決定されたＩＤに対応する地名に関する地名情報を表示する撮像ステップと、
前記ＩＤ地名対応テーブルを保持しておくＩＤ地名対応テーブル保持ステップとを備えた撮像方法である。
【００２９】
第２１の本発明は、請求項２０記載の撮像方法の、撮像を行い、ＩＤを有する複数の電波送信手段からそれぞれ送信されてくる、前記ＩＤを伝送する複数の電波を受信し、前記受信された複数の電波の強度に応じて、前記ＩＤの順位を決定し、前記ＩＤの順位の決定結果に基づき、前記行われた撮像結果に対して付帯データを付与し、前記ＩＤと単数または複数の地名とのＩＤ地名対応テーブルに基づいて、前記順位が決定されたＩＤに対応する地名に関する地名情報を表示する撮像ステップと、前記ＩＤ地名対応テーブルを保持しておくＩＤ地名対応テーブル保持ステップとをコンピュータに実行させるためのプログラムである。
【００３０】
第２２の本発明は、請求項２１記載のプログラムを担持した記録媒体であって、コンピュータにより処理可能な記録媒体である。
【００３１】
第２３の本発明は、撮像を行う撮像手段と、
ＩＤを有する複数の電波送信手段からそれぞれ送信されてくる、前記ＩＤを伝送する複数の電波を受信する電波受信手段と、
前記ＩＤと単数または複数の地名とのＩＤ地名対応テーブルを保持するＩＤ地名対応テーブル保持手段と、
前記保持されているＩＤ地名対応テーブルに基づいて、前記受信された電波が伝送するＩＤに対応する地名に関する地名情報を表示する地名情報表示手段とを備えた撮像システムである。
【００３２】
第２４の本発明は、前記地名情報表示手段は、複数の地名に関して、前記地名情報を表示する請求項２３記載の撮像システムである。
【００３３】
第２５の本発明は、前記地名情報が表示された前記複数の地名の内、所定の地名を選択する地名選択手段と、
前記行われた撮像結果に対し、前記選択された所定の地名に関する付帯データを付与する付帯データ付与手段とをさらに備えた請求項２４記載の撮像システムである。
【００３４】
第２６の本発明は、前記受信された複数の電波の強度に応じて、前記ＩＤの順位を決定するＩＤ順位決定手段をさらに備え、
前記地名情報表示手段は、前記順位が決定されたＩＤに対応する地名に関して、前記地名情報を表示する請求項２３記載の撮像システムである。
【００３５】
第２７の本発明は、撮像を行う撮像ステップと、ＩＤを有する複数の電波送信手段からそれぞれ送信されてくる、前記ＩＤを伝送する複数の電波を受信する電波受信ステップと、前記ＩＤと単数または複数の地名とのＩＤ地名対応テーブルを保持するＩＤ地名対応テーブル保持ステップと、前記保持されているＩＤ地名対応テーブルに基づいて、前記受信された電波が伝送するＩＤに対応する地名に関する地名情報を表示する地名情報表示ステップとを備えた撮像方法である。
【００３６】
第２８の本発明は、請求項２７記載の撮像方法の、撮像を行う撮像ステップと、ＩＤを有する複数の電波送信手段からそれぞれ送信されてくる、前記ＩＤを伝送する複数の電波を受信する電波受信ステップと、前記ＩＤと単数または複数の地名とのＩＤ地名対応テーブルを保持するＩＤ地名対応テーブル保持ステップと、前記保持されているＩＤ地名対応テーブルに基づいて、前記受信された電波が伝送するＩＤに対応する地名に関する地名情報を表示する地名情報表示ステップとをコンピュータに実行させるためのプログラムである。
【００３７】
第２９の本発明は、請求項２８記載のプログラムを担持した記録媒体であって、コンピュータにより処理可能な記録媒体である。
【００３８】
【発明の実施の形態】
以下、本発明の実施の形態について図面を参照しながら説明する。
【００３９】
（実施の形態１）
はじめに、本発明にかかる実施の形態１のデジタルカメラ１の構成図である図１を主として参照しながら、デジタルカメラ１の構成について説明する。
【００４０】
デジタルカメラ１は、撮像を行う撮像手段９と、ＰＨＳ基地局ＩＤを有する複数のＰＨＳ基地局からそれぞれ送信されてくる、ＰＨＳ基地局ＩＤを伝送する複数の電波を受信する送受信手段１５と、受信された複数の電波の強度に応じて、ＰＨＳ基地局ＩＤの順位を決定し、ＰＨＳ基地局ＩＤの順位の決定結果に基づき、行われた撮像結果に対して付帯データを付与するシステム制御用ＣＰＵ１３とを備えている。
【００４１】
ここに、本実施の形態におけるＰＨＳ基地局ＩＤは、ＰＨＳ基地局の所在地の郵便番号である。
【００４２】
液晶モニタ２は、液晶素子（図示省略）を利用してデータの表示を行うためのモニタである。
【００４３】
撮像手段９は、撮像素子１０、画像処理手段１１、画像メモリ１７などを有する撮像を行うための手段である。
【００４４】
撮像素子１０は、電荷結合素子（図示省略）などをもつ手段である。
【００４５】
画像処理手段１１は、画像処理用プロセッサ（図示省略）などをもつ手段である。
【００４６】
画像メモリ１７は、半導体メモリ（図示省略）などをもつ手段である。
【００４７】
システム制御用ＣＰＵ（Ｃｅｎｔｒａｌ  Ｐｒｏｃｅｓｓｉｎｇ  Ｕｎｉｔ）１３は、システム制御を行うための中央演算処理装置である。
【００４８】
システムバス１６は、画像処理手段１１、画像メモリ１７、システム制御用ＣＰＵ１３などを直結するためのバスである。
【００４９】
入力手段１４は、ユーザが設定変更などのマニュアル入力を行うための手段である。
【００５０】
メモリカード１８は、着脱自在なリムーバブルメディアである。
【００５１】
送受信手段１５は、電波を利用してデータの送受信を外部と行うためのＰＨＳ（Ｐｅｒｓｏｎａｌ  Ｈａｎｄｙ−ｐｈｏｎｅ  Ｓｙｓｔｅｍ）通信ユニットである。
【００５２】
システム制御用メモリ１９は、システム制御を行うためのメインメモリである。
【００５３】
システム制御用メモリ１９は、本発明にかかる実施の形態１のＰＨＳ基地局ＩＤと地名とを関係付けた地名テーブルの説明図である図７に示されているようなＰＨＳ基地局ＩＤと単数または複数の地名とを関係付けた地名テーブルを記憶している。
【００５４】
なお、本発明の電波受信手段は送受信手段１５に対応し、本発明のＩＤ順位決定手段はシステム制御用ＣＰＵ１３に対応し、本発明の撮像手段は撮像手段９に対応し、本発明の付帯データ付与手段はシステム制御用ＣＰＵ１３に対応し、本発明の撮像システムはデジタルカメラ１に対応する。
【００５５】
また、本発明のＩＤ地名対応テーブル保持手段はシステム制御用メモリ１９に対応し、本発明の  地名情報表示手段は液晶モニタ２に対応する。
【００５６】
また、本発明の地名選択手段は、入力手段１４に対応する。
【００５７】
つぎに、本発明にかかる実施の形態１のデジタルカメラ１の背面図である図２を主として参照しながら、デジタルカメラ１のより詳細な構成について説明する。
【００５８】
液晶モニタ２は、前述したように、液晶素子（図示省略）を利用してデータの表示を行うためのモニタである。
【００５９】
カーソルキー３は、ユーザが設定変更などを行う際に液晶モニタ２上でカーソル（図示省略）を移動させるためのキーである。
【００６０】
決定釦４は、ユーザが設定変更などを行う際に液晶モニタ２上で選択の決定を行うための釦である。
【００６１】
電源スイッチ５は、矢印Ｘ側に切り換えられると電源がＯＮ状態となり、矢印Ｙ側に切り換えられると電源がＯＦＦ状態となるスイッチである。
【００６２】
シャッター釦６は、ユーザが撮像を行う際に押し下げを行うための釦である。
【００６３】
メニュー釦７は、ユーザが設定変更などを行う際に液晶モニタ２上でメニューの切替を行うための釦である。
【００６４】
ファインダ８は、ユーザが撮像を行う際に被写体を覗くための窓である。
【００６５】
つぎに、デジタルカメラ１の動作について説明する。
【００６６】
なお、デジタルカメラ１の動作について説明しながら、本発明の撮像方法の一実施の形態についても説明する。
【００６７】
（Ａ）はじめに、本発明にかかる実施の形態１のデジタルカメラ１の地名情報取得動作を説明するためのフローチャートである図３を主として参照しながら、デジタルカメラ１の地名情報取得動作について説明する。
【００６８】
なお、本発明にかかる実施の形態１の撮影地とＰＨＳ基地局との位置関係を説明するための説明図である図５に示されているように、地名が取得される撮影地から通信可能なＰＨＳ基地局がＰＨＳ基地局Ａ〜Ｃの３局である場合について説明する。
【００６９】
また、ＰＨＳ基地局Ａ〜Ｃからのそれぞれの電界強度は、本発明にかかる実施の形態１の撮影地とＰＨＳ基地局との通信状態を説明するための模式図である図６に示されているように、ＰＨＳ基地局Ｂからの電界強度が最も強く、ＰＨＳ基地局Ａからの電界強度が中程度であり、ＰＨＳ基地局Ｃからの電界強度が最も弱いという関係にある場合について説明する。
【００７０】
ステップ１〜２；ユーザは、メニュー釦７（図２参照）を押下げする。
【００７１】
すると、システム制御用ＣＰＵ１３（図１参照）は、本発明にかかる実施の形態１の液晶モニタ２上に表示される画面を説明するための模式図（その１）である図１１（ａ）に示されているような画面を液晶モニタ２（図１、２参照）上に表示する。
【００７２】
そして、ユーザの指示の入力が、地名の取得を行うか否かに関して促される。
【００７３】
ユーザが地名の取得を選択した場合には（Ｓ１）、システム制御用ＣＰＵ１３（図１参照）は、現在位置している撮影地から通信可能なＰＨＳ基地局Ａ〜ＣよりＰＨＳ基地局ＩＤおよび電界強度をそれぞれ取得する（Ｓ２）。
【００７４】
もちろん、ユーザが地名の取得を指示しなかった場合には（Ｓ１）、地名情報取得動作はそのまま終了される。
【００７５】
ステップ３；システム制御用ＣＰＵ１３（図１参照）は、システム制御用メモリ１９（図１参照）に予め記憶されている、図７に示されているような地名テーブルを読み出す（Ｓ３）。
【００７６】
そして、システム制御用ＣＰＵ１３（図１参照）は、読み出された地名テーブルを見て、本発明にかかる実施の形態１の取得されたＰＨＳ基地局ＩＤに対応する地名を説明するための説明図である図８に示されているように、取得されたＰＨＳ基地局ＩＤに対応する地名を抽出する。
【００７７】
ステップ４；システム制御用ＣＰＵ１３（図１参照）は、本発明にかかる実施の形態１の取得されたＰＨＳ基地局ＩＤに対応する地名の並べ替えを説明するための説明図である図９に示されているように、抽出された地名を電界強度の強い順に並べ替える（Ｓ４）。
【００７８】
ステップ５；システム制御用ＣＰＵ１３（図１参照）は、本発明にかかる実施の形態１の取得されたＰＨＳ基地局ＩＤに対応する地名の削除を説明するための説明図である図１０に示されているように、システム制御手段は、重複する地名「花博記念公園」について、一つを除いて残りを削除する（Ｓ５）。
【００７９】
ステップ６；システム制御用ＣＰＵ１３（図１参照）は、本発明にかかる実施の形態１の液晶モニタ２上に表示される画面を説明するための模式図（その２）である図１１（ｂ）に示されているような画面を液晶モニタ２（図１、２参照）上に表示する。
【００８０】
そして、ユーザの指示の入力が、地名の選択に関して促される。
【００８１】
ユーザは、カーソルキー３（図２参照）を操作して、選択したい地名「花博記念公園」を選択する。
【００８２】
すると、システム制御用ＣＰＵ１３（図１参照）は、本発明にかかる実施の形態１の液晶モニタ２上に表示される画面を説明するための模式図（その３）である図１１（ｃ）に示されているような画面を液晶モニタ２（図１、２参照）上に表示する。
【００８３】
そして、ユーザの指示の入力が、地名の決定に関して促される。
【００８４】
ユーザは、決定釦４（図２参照）を押下げする。
【００８５】
すると、システム制御用ＣＰＵ１３（図１参照）は、決定された地名「花博記念公園」を付帯データとしてシステム制御用メモリ１９（図１参照）に記憶させる（Ｓ６）。
【００８６】
（Ｂ）つぎに、本発明にかかる実施の形態１のデジタルカメラ１の撮影動作を説明するためのフローチャートである図４を主として参照しながら、デジタルカメラ１の撮影動作について説明する。
【００８７】
ユーザは、撮像の前にメニュー釦７等の操作により、本発明にかかる実施の形態１の液晶モニタ２上に表示される画面を説明するための模式図（その４）である図１１（ｄ）に示されているような画面を液晶モニタ２（図１、２参照）上に表示し、地名の表示を行うよう設定しておく。
【００８８】
ステップ７；ユーザは、シャッター釦６（図２参照）を押下げする。
【００８９】
すると、システム制御用ＣＰＵ１３（図１参照）は、撮像を行う（Ｓ７）。
【００９０】
ステップ８〜９；ユーザが地名の表示を指示した場合には（Ｓ８）、システム制御用ＣＰＵ１３（図１参照）は、システム制御用メモリ１９に付帯データが記憶されているかどうかを検出する（Ｓ９）。
【００９１】
もちろん、ユーザが地名の表示を指示しなかった場合には（Ｓ８）、システム制御用ＣＰＵ１３（図１参照）は、システム制御用メモリ１９（図１参照）をクリアし、撮影画像のみをメモリカード１８（図１参照）に記憶させるとともに液晶モニタ２（図１、２参照）に表示させる（かくして、撮影動作が終了される）。
【００９２】
ステップ９〜１０；システム制御用メモリ１９に付帯データが記憶されていた場合には（Ｓ９）、システム制御用ＣＰＵ１３（図１参照）は、その付帯データを読み出して撮影画像に付与し（Ｓ１０）、本発明にかかる実施の形態１の液晶モニタ２上に表示される画面を説明するための模式図（その５）である図１１（ｅ）に示されているような画面を液晶モニタ２（図１、２参照）上に表示する。
【００９３】
もちろん、システム制御用メモリ１９に付帯データが記憶されていなかった場合には（Ｓ９）、システム制御用ＣＰＵ１３（図１参照）は、撮影画像のみをメモリカード１８（図１参照）に記憶させるとともに液晶モニタ２（図１、２参照）に表示させる（かくして、撮影動作が終了される）。
【００９４】
以上においては、デジタルカメラ１の構成および動作について詳細に説明を行った。
【００９５】
このように、本実施の形態においては、ＰＨＳ通信により、複数のＰＨＳ基地局からそれぞれＰＨＳ基地局ＩＤを取得し、それぞれのＰＨＳ基地局ＩＤに対応する地名を表示し、ユーザがそれらの地名から所望の地名を選択する。
【００９６】
このため、地名取得地がどこにあるかに関わらず、地名取得地の周辺の地名を取得することができる。また、複数の地名を表示できるので、ユーザは好みの地名を選択できる。また、画像データなどの送受信を行うために標準装備されたＰＨＳ通信ユニットを活用できるので、ＧＰＳを利用する場合などに比べて精度はやや落ちるが、地名取得地の位置検出を極めて低コストで実現することができる。
【００９７】
また、本実施の形態においては、ＰＨＳ基地局ＩＤとともにＰＨＳ基地局からの信号の電界強度を取得し、ＰＨＳ基地局ＩＤに対応する地名を電界強度の順に並べ替える。
【００９８】
このため、地名の表示を地名取得地に近い地名の順に表示できるので、使い勝手が良い。
【００９９】
また、本実施の形態においては、それぞれのＰＨＳ基地局ＩＤに対応する地名の中に重複する地名がある場合には、同一の地名については１つを残して、残りを削除する。
【０１００】
このため、表示される地名に重複がないので、ユーザは地名を選択しやすく使い勝手が良い。
【０１０１】
以上においては、本発明にかかる実施の形態１について詳細に説明を行った。
【０１０２】
（１）なお、本発明のＩＤは、上述した実施の形態１においては、ＰＨＳ基地局の所在地の郵便番号であった。
【０１０３】
しかし、これに限らず、本発明のＩＤは、たとえば、ＰＨＳ基地局の所在地の緯度および経度であってもよい。
【０１０４】
（２）また、本発明の電波送信手段は、上述した実施の形態１においては、ＰＨＳ基地局であった。
【０１０５】
しかし、これに限らず、本発明の電波送信手段は、たとえば、携帯電話基地局であってもよい（ただし、このような携帯電話基地局は、ＩＤを有する電波をそれぞれ送信している必要がある）。
【０１０６】
（３）また、本発明のＩＤ地名対応テーブルは、上述した実施の形態１においては、システム制御用メモリ１９に記憶された地名テーブルであった。
【０１０７】
しかし、これに限らず、本発明のＩＤ地名対応テーブルは、たとえば、メモリカード１８に記憶された地名テーブルであってもよい。
【０１０８】
もちろん、本発明のＩＤ地名対応テーブルは、デジタルカメラとＵＳＢ（Ｕｎｉｖｅｒｓａｌ  Ｓｅｒｉａｌ  Ｂｕｓ）接続されたパーソナルコンピュータ側やデジタルカメラとＰＨＳ無線接続されたＰＨＳサービスセンタ装置側に記憶されていてもよい。
【０１０９】
より具体的には、本発明にかかる実施の形態の、パーソナルコンピュータを利用した撮像システムの構成図である図１２に示されているような撮像システムが利用されてもよい。
【０１１０】
このような撮像システム（図１２参照）は、たとえば、撮像を行う撮像手段９′と、ＩＤを有する複数の電波送信手段からそれぞれ送信されてくる、ＩＤを伝送する複数の電波を受信する送受信手段１５′と、受信された複数の電波の強度に応じて、ＩＤの順位を決定するシステム制御用ＣＰＵ１３′とを有するデジタルカメラ１′と、ＩＤの順位の決定結果に基づき、行われた撮像結果に対して付帯データを付与するＣＰＵ１１３と、ＩＤと単数または複数の地名とのＩＤ地名対応テーブルを保持するメモリ１１９と、保持されているＩＤ地名対応テーブルに基づいて、順位が決定されたＩＤに対応する地名に関する地名情報を表示するモニタ１０２とを有するパーソナルコンピュータ１００とを備えている。
【０１１１】
このような撮像システム（図１２参照）を利用することにより、ファイルサイズが大きくなりがちなＩＤ地名対応テーブルを容量に余裕のあるメモリ１１９に保持しておくことができるため、メモリカード１８′やシステム制御用メモリ１９′のメモリサイズを小さく抑えることができる。
【０１１２】
また、インターネット（図示省略）上の所定のファイルサーバ（図示省略）へのアクセスなどを利用して、メモリ１１９に保持されているＩＤ地名対応テーブルを簡単にアップデートできる。
【０１１３】
また、高い操作機能を有するキーボードやマウスを利用して、付帯データの内容の変更（たとえば、「花博記念公園」を「花博記念公園（於サッカー競技場）」に変更する）や、付帯データの内容の表示・非表示の選択（たとえば、「花博記念公園」を撮像結果の印刷時には非表示にする）を容易に実現できる。
【０１１４】
もちろん、付帯データそのものもしくはその候補（たとえば、「大阪市鶴見区」、「花博記念公園」、「守口市」、「門真市」、「なみはやドーム」）などを所定のリンクファイルに一括記録しておき、撮像結果の閲覧時や印刷時にＥｘｉｆ（Ｅｘｃｈａｎｇｅａｂｌｅ  Ｉｍａｇｅ  Ｆｉｌｅ  Ｆｏｒｍａｔ）により所望の付帯データをＴＩＦＦ（Ｔａｇｇｅｄ  Ｉｍａｇｅ  Ｆｉｌｅ  Ｆｏｒｍａｔ）  ファイルやＪＰＥＧ（Ｊｏｉｎｔ  Ｐｈｏｔｏｇｒａｐｈｉｃ  Ｅｘｐｅｒｔｓ  Ｇｒｏｕｐ）ファイルに格納してもよい。
【０１１５】
また、本発明にかかる実施の形態の、ＰＨＳサービスセンタ装置を利用した撮像システムの構成図である図１３に示されているような撮像システムが利用されてもよい。
【０１１６】
このような撮像システム（図１３参照）は、たとえば、撮像を行う撮像手段９″と、ＩＤを有する複数の電波送信手段からそれぞれ送信されてくる、ＩＤを伝送する複数の電波を受信する送受信手段１５″と、受信された複数の電波の強度に応じて、ＩＤの順位を決定し、ＩＤの順位の決定結果に基づき、行われた撮像結果に対して付帯データを付与するシステム制御用ＣＰＵ１３″と、ＩＤと単数または複数の地名とのＩＤ地名対応テーブルに基づいて、順位が決定されたＩＤに対応する地名に関する地名情報を表示する液晶モニタ２″とを有するデジタルカメラ１″と、ＩＤ地名対応テーブルを保持するデータベース２１９を有するＰＨＳサービスセンタ装置２００とを備えている。
【０１１７】
このような撮像システム（図１３参照）を利用することにより、ファイルサイズが大きくなりがちなＩＤ地名対応テーブルを容量に余裕のあるデータベース２１９に保持しておくことができるため、メモリカード１８″やシステム制御用メモリ１９″のメモリサイズを小さく抑えることができる。
【０１１８】
また、データベース２１９に保持されているＩＤ地名対応テーブルを簡単にアップデートできる。
【０１１９】
（４）また、本発明のＩＤの順位は、上述した実施の形態１においては、撮像が行われる前に決定された。
【０１２０】
しかし、これに限らず、本発明のＩＤの順位は、たとえば、撮像が行われた後に決定されてもよいし、電界強度の取得を自動的に実行するためのスタンバイモードの実装により撮像の実行前後あるいは実行中にかかわらずに決定されてもよい。
【０１２１】
（５）また、本発明のＩＤは、上述した実施の形態１においては、撮像が行われる前に取得された。
【０１２２】
しかし、これに限らず、本発明のＩＤは、たとえば、撮像が行われた後に取得されてもよいし、撮像の実行前後あるいは実行中にかかわらずに決定されてもよい。
【０１２３】
（６）また、本発明のプログラムは、上述した本発明の撮像方法の全部または一部のステップ（または、工程、動作、作用等）の動作をコンピュータにより実行させるためのプログラムであって、コンピュータと協働して動作するプログラムである。
【０１２４】
また、本発明の記録媒体は、上述した本発明の撮像方法の全部または一部のステップ（または、工程、動作、作用等）の全部または一部の動作をコンピュータにより実行させるためのプログラムを担持した記録媒体であり、コンピュータにより読み取り可能かつ、読み取られた前記プログラムが前記コンピュータと協動して前記動作を実行する記録媒体である。
【０１２５】
なお、本発明の上記「一部のステップ（または、工程、動作、作用等）」とは、それらの複数のステップの内の、一つまたは幾つかのステップを意味する。
【０１２６】
また、本発明の上記「ステップ（または、工程、動作、作用等）の動作」とは、前記ステップの全部または一部の動作を意味する。
【０１２７】
また、本発明のプログラムの一利用形態は、コンピュータにより読み取り可能な記録媒体に記録され、コンピュータと協働して動作する態様であっても良い。
【０１２８】
また、本発明のプログラムの一利用形態は、伝送媒体中を伝送し、コンピュータにより読みとられ、コンピュータと協働して動作する態様であっても良い。
【０１２９】
また、記録媒体としては、ＲＯＭ等が含まれ、伝送媒体としては、インターネット等の伝送媒体、光・電波・音波等が含まれる。
【０１３０】
また、上述した本発明のコンピュータは、ＣＰＵ等の純然たるハードウェアに限らず、ファームウェアや、ＯＳ、更に周辺機器を含むものであっても良い。
【０１３１】
なお、以上説明した様に、本発明の構成は、ソフトウェア的に実現しても良いし、ハードウェア的に実現しても良い。
【０１３２】
【発明の効果】
以上述べたところから明らかなように、本発明は、撮影位置により近い場所の地名を、撮影画像とともに記録するまたは表示することができるという長所を有する。
【図面の簡単な説明】
【図１】本発明にかかる実施の形態１のデジタルカメラ１の構成図
【図２】本発明にかかる実施の形態１のデジタルカメラ１の背面図
【図３】本発明にかかる実施の形態１のデジタルカメラ１の地名情報取得動作を説明するためのフローチャート
【図４】本発明にかかる実施の形態１のデジタルカメラ１の撮影動作を説明するためのフローチャート
【図５】本発明にかかる実施の形態１の撮影地とＰＨＳ基地局との位置関係を説明するための説明図
【図６】本発明にかかる実施の形態１の撮影地とＰＨＳ基地局との通信状態を説明するための模式図
【図７】本発明にかかる実施の形態１のＰＨＳ基地局ＩＤと地名とを関係付けた地名テーブルの説明図
【図８】本発明にかかる実施の形態１の取得されたＰＨＳ基地局ＩＤに対応する地名を説明するための説明図
【図９】本発明にかかる実施の形態１の取得されたＰＨＳ基地局ＩＤに対応する地名の並べ替えを説明するための説明図
【図１０】本発明にかかる実施の形態１の取得されたＰＨＳ基地局ＩＤに対応する地名の削除を説明するための説明図
【図１１】（ａ）本発明にかかる実施の形態１の液晶モニタ２上に表示される画面を説明するための模式図（その１）
（ｂ）本発明にかかる実施の形態１の液晶モニタ２上に表示される画面を説明するための模式図（その２）
（ｃ）本発明にかかる実施の形態１の液晶モニタ２上に表示される画面を説明するための模式図（その３）
（ｄ）本発明にかかる実施の形態１の液晶モニタ２上に表示される画面を説明するための模式図（その４）
（ｅ）本発明にかかる実施の形態１の液晶モニタ２上に表示される画面を説明するための模式図（その５）
【図１２】本発明にかかる実施の形態の、パーソナルコンピュータを利用した撮像システムの構成図
【図１３】本発明にかかる実施の形態の、ＰＨＳサービスセンタ装置を利用した撮像システムの構成図
【符号の説明】
１、１′、１″  デジタルカメラ
２、２′、２″  液晶モニタ
３  カーソルキー
４  決定釦
５  電源スイッチ
６  シャッター釦
７  メニュー釦
８  ファインダ
９  撮像手段
１０、１０′、１０″  撮像素子
１１、１１′、１１″  画像処理手段
１３、１３′、１３″  システム制御用ＣＰＵ
１４、１４′、１４″  入力手段
１５、１５′、１５″  送受信手段
１６、１６′、１６″  システムバス
１７、１７′、１７″  画像メモリ
１８、１８′、１８″  メモリカード
１９、１９′、１９″  システム制御用メモリ
【図１】
2005026864.tif 000003
【図２】
2005026864.tif 000004
【図３】
2005026864.tif 000005
【図４】
2005026864.tif 000006
【図５】
2005026864.tif 000007
【図６】
2005026864.tif 000008
【図７】
2005026864.tif 000009
【図８】
2005026864.tif 000010
【図９】
2005026864.tif 000011
【図１０】
2005026864.tif 000012
【図１１】
2005026864.tif 000013
【図１２】
2005026864.tif 000014
【図１３】
2005026864.tif 000015